(57)【要約】【課題】端子カバーを閉じたときに防水シールから受ける反力によって防水力が低下することなく、かつ簡単かつ確実に端子カバーの開き状態を検出できるようにする。【解決手段】端子カバー４周縁に防水パッキン６を設け、端子カバー４を端子接続用開口５周縁に押し付けた状態で端子接続用開口５周縁に固定するカバー固定部材７を設ける。カバー固定部材７の先端に所定の回転角度で端子接続用開口５周縁に係合する抜け止め用突起７ａを形成し、背面側キャビネット３内部に抜け止め用突起７ａが端子カバー４を閉じる閉じ位置を検出する閉検出スイッチ１３を設ける。【選択図】図１
2014011741.tif 000002
【特許請求の範囲】
【請求項１】
端子接続用開口が形成された筐体及び該端子接続用開口を覆う端子カバーを有する携帯端末において、
上記端子カバー周縁又は上記端子接続用開口周縁に設けられた防水パッキンと、
上記端子カバーを上記端子接続用開口周縁に押し付けた状態で該端子接続用開口周縁に固定するためのカバー固定部材とを備えており、
上記カバー固定部材は、先端に所定の回転角度で上記端子接続用開口周縁に係合する抜け止め用突起が形成され、
上記筐体内部には、上記抜け止め用突起が上記端子カバーを閉じる閉じ位置を検出する閉検出スイッチが設けられている
ことを特徴とする携帯端末。
【請求項２】
請求項１に記載の携帯端末において、
上記カバー固定部材が、開き位置から閉じ位置に移り変わるときに該カバー固定部材を軸方向に進めるカム面が形成され、
上記カム面によってカバー固定部材が軸方向に進んだ状態で上記閉検出スイッチがオン又はオフとなるように構成されている
ことを特徴とする携帯端末。
【請求項３】
請求項２に記載の携帯端末において、
上記カム面は、上記抜け止め用突起と上記端子接続用開口周縁とに形成された互いに当接し合う傾斜面よりなる
ことを特徴とする携帯端末。
【発明の詳細な説明】
【技術分野】
【０００１】
本発明は、端子接続用開口が形成された筐体及び該端子接続用開口を覆う端子カバーを有する携帯端末に関する。
【背景技術】
【０００２】
従来より、スマートフォン、携帯電話機等の携帯端末に使用される防水蓋構造については、周囲に防水シールが嵌り込む溝を設けた蓋と、防水シール及びそれを抱き込む筺体で形成される構造、２色成形等による、防水シールの水侵入経路を遮断する形状を設けた蓋及びそれを抱き込む筺体で形成される構造等が知られている。
【０００３】
この種の防水蓋構造では、防水機能を有する防水シールを一定量の荷重により、変位させて水侵入に対する安定度を高めている。
【０００４】
しかし、一定量の変位を必要とするため、防水蓋には開く方向の反力が常時かかるので、逆に防水に関する信頼性を下げる可能性がある。
【０００５】
例えば、特許文献１では、回動動作により本体にカバーをロック及びフリーにさせる突出部と、突出部の回動軸に対し直交方向に貫通した穴が形成された軸部とを有するロックレバーと、突出部の動作と連動して、カバーのロック及びフリー状態に保持する弾性突起部を有し、軸部に形成された穴に嵌挿される板バネとを具備している。
【先行技術文献】
【特許文献】
【０００６】
【特許文献１】特開２００５−１２９７７０号公報
【発明の概要】
【発明が解決しようとする課題】
【０００７】
ところで、携帯端末では、ＳＤカード、ＳＩＭカード等のカード型記憶媒体を差し込む接続端子を端子カバーで覆うことが多く、書込・読込中のカードの取り出しで発生する破損を回避する必要がある。このため、端子カバーが開いたことを検知する手段を設ける必要がある上記特許文献１の発明では、このような検知手段を別途設ける必要がある。
【０００８】
本発明は、かかる点に鑑みてなされたものであり、その目的とするところは、端子カバーを閉じたときに防水シールから受ける反力によって防水力が低下することなく、かつ簡単かつ確実に端子カバーの開き状態を検出することにある。
【課題を解決するための手段】
【０００９】
上記の目的を達成するために、この発明では、端子カバーを固定するカバー固定部材の開閉操作に合わせて端子カバーの開き状態を検知するようにした。
【００１０】
具体的には、第１の発明では、
端子接続用開口が形成された筐体及び該端子接続用開口を覆う端子カバーを有する携帯端末を前提とする。
【００１１】
そして、上記携帯端末は、
上記端子カバー周縁又は上記端子接続用開口周縁に設けられた防水パッキンと、
上記端子カバーを上記端子接続用開口周縁に押し付けた状態で該端子接続用開口周縁に固定するためのカバー固定部材とを備えており、
上記カバー固定部材は、先端に所定の回転角度で上記端子接続用開口周縁に係合する抜け止め用突起が形成され、
上記筐体内部には、上記抜け止め用突起が上記端子カバーを閉じる閉じ位置を検出する閉検出スイッチが設けられている。
【００１２】
上記の構成によると、カバー固定部材の抜け止め用突起が端子接続用開口周縁に係合することで、端子カバーが抜け止めされるので、防水性が確保される。また、カバー固定部材で端子カバーを固定するときに、抜け止め用突起が閉検出スイッチをオン又はオフにすることにより、開閉操作に伴って確実に端子カバーの閉じ位置が検出される。この閉じ位置でカード型記憶媒体の書込・読込を可能にすれば、書込及び読込中のカードを取り出して破損させることはない。
【００１３】
第２の発明では、第１の発明において、
上記カバー固定部材が、開き位置から閉じ位置に移り変わるときに該カバー固定部材を軸方向に進めるカム面が形成され、
上記カム面によってカバー固定部材が軸方向に進んだ状態で上記閉検出スイッチがオン又はオフとなるように構成されている。
【００１４】
上記の構成によると、カバー固定部材を回転させて閉じ位置とするときにカム面によってカバー固定部材が軸方向に進んで防水シールが押圧されて防水性が確保されると共に、抜け止め用突起によってその状態で確保される。また、確実に閉じ状態となったときに閉スイッチがオン又はオフになるので、それに合わせてカード型記憶媒体等の書込及び読込を可能にすれば、カード型記憶媒体等の取り出しに伴う損傷が確実に防止される。
【００１５】
第３の発明では、第２の発明において、
上記カム面は、上記抜け止め用突起と上記端子接続用開口周縁とに形成された互いに当接し合う傾斜面よりなる。
【００１６】
上記の構成によると、簡単な構成でカバー固定部材によって防水性を高めることができる。
【発明の効果】
【００１７】
以上説明したように、本発明によれば、カバー固定部材の先端に所定の回転角度で端子接続用開口周縁に係合する抜け止め用突起を形成し、筐体内部に抜け止め用突起が端子カバーを閉じる閉じ位置を検出する閉検出スイッチを設けたことにより、端子カバーを閉じたときに防水シールから受ける反力によって防水力が低下することなく、かつ簡単かつ確実に端子カバーの開き状態を検出することができる。
【図面の簡単な説明】
【００１８】
【図１】本発明の実施形態に係る携帯電話機における端子カバーの閉じ状態を示す斜視図である。
【図２】携帯電話機を示す斜視図である。
【図３】端子カバー及びその周辺を拡大して示す斜視図である。
【図４】縦に分割した携帯電話機を示す分解斜視図である。
【図５】端子カバー及びその周辺を拡大して示す斜視図である。
【図６】カバー固定部材を拡大して示す斜視図である。
【図７】端子接続用開口周縁を内側から拡大して示す斜視図である。
【図８】端子カバーの開き位置を示す図１相当図である。
【発明を実施するための形態】
【００１９】
以下、本発明の実施形態を図面に基づいて説明する。
【００２０】
図２は本発明の実施形態の携帯端末としての携帯電話機１（スマートフォン）を示し、この携帯電話機１は、表示部を含む正面側キャビネット２と、正面側キャビネット２の背面側に嵌合される筐体としての背面側キャビネット３とを有する。
【００２１】
図３に示すように、背面側キャビネット３の上端右側には、ＳＤカード、ＳＩＭカード等のカード型記憶媒体等を差し込む接続端子（図示せず）を覆う端子カバー４が設けられている。この端子カバー４は、背面側キャビネット３に形成した長円形状の端子接続用開口５を覆っている。但し、この端子接続用開口５の形状は、円形、矩形等特に限定されない。
【００２２】
図４及び図５に示すように、端子接続用開口５の周縁には、端子カバー４の下面外周に嵌め込まれた又は一体成形された防水パッキン６が当接するパッキン当接部５ａが形成されている。
【００２３】
パッキン当接部５ａの更に奥側には、端子カバー４を固定するカバー固定部材７を固定するための係止用貫通孔８を有する被係合部９が設けられている。
【００２４】
一方、カバー固定部材７は、図６に示すように、下端に抜け止め用突起７ａを有し、上端には、円板状の操作部７ｂを有する。操作部７ｂの直線溝７ｃに爪などの尖ったものを差し込むことで、カバー固定部材７を回転可能となっている。図５に示すように、端子カバー４には、抜け止め用突起７ａが挿通される挿通孔４ａと、この挿通孔４ａ周縁に形成され、操作部７ｂが収容されるザグリ４ｂとが形成されている。カバー固定部材７は、ザグリ４ｂ上面と操作部７ｂ下面との間にゴム製のＯリング１０を挟み込んだ状態でＥリング１１で抜け止めすることにより、カバーアッセン１５が構成されている。
【００２５】
また、端子カバー４の左端には、差込用突起４ｃが形成されている。この差込用突起４ｃを端子接続用開口５の左側に差し込んで抜け止め用突起７ａを係止用貫通孔８に挿通し、防水パッキン６をパッキン当接部５ａに押し付けた状態でカバー固定部材７を回転させて所定の回転角度で抜け止め用突起７ａが端子接続用開口５周縁に係合するようになっている。
【００２６】
一方、図４に示すように、背面側キャビネット３内部には、基板１２が収容されており、この基板１２には、抜け止め用突起７ａが端子カバー４を閉じる閉じ位置のときにオンとなる閉検出スイッチ１３が設けられている。閉検出スイッチ１３は、その上端にスイッチ部１４が揺動可能に支持され、このスイッチ部１４に抜け止め用突起７ａが当接するように配置されている。
【００２７】
そして、図６に拡大して示すように、抜け止め用突起７ａは、円弧状外周面を有する一対の突起よりなり、各突起の上面には、第１傾斜面７ｄと第２傾斜面７ｅとが山形に対向して形成されている。一方、図７に拡大して示すように、係止用貫通孔８は、抜け止め用突起７ａの外形よりも若干大きい円弧状内周面を有する一対の切欠を有し、対向する位置に第３傾斜面８ａ及び第４傾斜面８ｂを有する。
【００２８】
このような構成により、カバー固定部材７を回転させて第１傾斜面７ｄが第３傾斜面を８ａを乗り越えた状態で、又は、第２傾斜面７ｅが第４傾斜面８ｂに乗り越えた状態で端子カバー４が閉じ状態で安定するように構成されている。
【００２９】
次に、本実施形態に係る端子カバー４の開閉操作について説明する。
【００３０】
まず、図５に示すように、カバー固定部材７のザグリ４ｂ上面と操作部７ｂ下面との間にゴム製のＯリング１０を挟み込んだ状態でＥリング１１を抜け止め用突起７ａに嵌め込んでカバーアッセン１５を組み立てておく。
【００３１】
次いで、差込用突起４ｃを端子接続用開口５の左側に差し込んで抜け止め用突起７ａを係止用貫通孔８に挿通する。このとき、図８に示すように、抜け止め用突起７ａは、スイッチ部１４に接触せず、閉検出スイッチ１３はオフとなっている。
【００３２】
次いで、端子カバー４を端子接続用開口５周縁に押し付けて防水パッキン６を押圧した状態で、カバー固定部材７を回転させる。
【００３３】
すると、例えば、第１傾斜面７ｄが第３傾斜面８ａに当接し、更に回転させることで、カバー固定部材７が軸方向（下方）に進んで防水パッキン６を圧縮させながら乗り上げる。この際、図１に示すように、抜け止め用突起７ａがスイッチ部１４に接触して揺動させることで、閉検出スイッチ１３がオンとなる。この状態でカード型記憶媒体の書込及び読込が可能となる。そして、カバー固定部材７の抜け止め用突起７ａが端子接続用開口５周縁に係合するので、端子カバー４が確実に抜け止めされ、簡単な構成で防水性が確保される。
【００３４】
逆に端子カバー４を開くときには、カバー固定部材７を逆方向に回転すれば、図８に示すように、第１傾斜面７ｄが第３傾斜面８ａを滑って軸方向（上方）へ進むと共に、スイッチ部１４がオフとなり、カード型記憶媒体の書込及び読込が禁止される。
【００３５】
次いで、抜け止め用突起７ａを係止用貫通孔８から抜いて端子カバー４を外し、カード型記憶媒体を出し入れする。こうすれば、書込及び読込中のカード型記憶媒体を出し入れすることはないので、カード型記憶媒体が損傷することはない。
【００３６】
したがって、本実施形態に係る携帯電話機１によると、端子カバー４を閉じたときに防水シールから受ける反力によって防水力が低下することなく、かつ簡単かつ確実に端子カバー４の開き状態を検出して、カード型記憶媒体の損傷を防止することができる。
【００３７】
（その他の実施形態）
本発明は、上記実施形態について、以下のような構成としてもよい。
【００３８】
すなわち、上記実施形態では、端子カバー４の下面に防水パッキン６を設けたが、パッキン当接部５ａ側に防水パッキン６を設けてもよい。
【００３９】
また、上記実施形態では、閉検出スイッチ１３が端子カバー４の閉じ位置でオンになるように構成しているが、閉じ位置でオフとなるように抜け止め用突起７ａがスイッチ部１４を押すタイミングを変更してもよい。
【００４０】
また、端子カバー４は、カード型記憶媒体用の接続端子を覆うカバーとしたが、これに限定されず、電源が入ったまま接続端子を接続したり、外したりすると問題がある精密部品用の接続端子を覆うカバーに適用することができる。
【００４１】
上記実施形態では、携帯端末は、携帯電話機としたが、ＰＨＳ（Personal Handy-phone System ）、ＰＤＡ(Personal Digital Assistant)、パソコン、モバイルツール、電子辞書、電卓、ゲーム機等であってもよい。
【００４２】
なお、以上の実施形態は、本質的に好ましい例示であって、本発明、その適用物や用途の範囲を制限することを意図するものではない。
【産業上の利用可能性】
【００４３】
以上説明したように、本発明は、端子カバーを有する携帯電話機などの携帯端末について有用である。
【符号の説明】
【００４４】
１      携帯電話機（携帯端末）
２      正面側キャビネット
３      背面側キャビネット
４      端子カバー
４ａ    挿通孔
４ｂ    ザグリ
４ｃ    差込用突起
５      端子接続用開口
５ａ    パッキン当接部
６      防水パッキン
７      カバー固定部材
７ａ    抜け止め用用突起
７ｂ    操作部
７ｃ    直線溝
７ｄ    第１傾斜面
７ｅ    第２傾斜面
８      係止用貫通孔
８ａ    第３傾斜面
８ｂ    第４傾斜面
９      被係合部
１０      Ｏリング
１１      Ｅリング
１２      基板
１３      閉検出スイッチ
１４      スイッチ部
１５      カバーアッセン
【図１】
2014011741.tif 000003
【図２】
2014011741.tif 000004
【図３】
2014011741.tif 000005
【図４】
2014011741.tif 000006
【図５】
2014011741.tif 000007
【図６】
2014011741.tif 000008
【図７】
2014011741.tif 000009
【図８】
2014011741.tif 000010